【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
光軸の周りに強度分布を有し、モードが光軸(107)に対するそれぞれの放出角度に対応した、多数の空間モードを含む逓信光ビームを放出する第1の表面(116)を含むレーザダイオード部材(101)と、
光軸の第1の側において第1の放出角度で放出される、前記多数の空間モードのうちの最初の1つに対応する放出光ビームの第1の部分を選択する、第1の選択手段(109,110, 502)と、
レーザダイオード部材および第1の反射部材が第1のキャビティを定めるものであって、放出光ビームの選択された第1の部分の第1のフィードバック部分を反射して、レーザダイオード部材へ戻すよう適合され、さらに、放出光ビームの選択された第1の部分の、第1の出力部分に対応する第1の出力ビーム(113)を生成するよう適合されている第1の反射部材(106, 502)と、
第1の側の反対側の光軸の第2の側において、第2の放出角度で放出される、前記多数の空間モードのうちの第2の1つに対応する放出光ビームの第2の部分を選択する第2の選択手段(109,111; 503)と、
レーザダイオード部材および第2の反射部材が第2のキャビティを定めるものであって、放出光ビームの選択された第2の部分の第2のフィードバック部分を反射して、レーザダイオード部材へ戻すよう適合され、さらに、放出光ビームの選択された第2の部分の、第2の出力部分に対応する第2の出力ビーム(114)を生成するよう適合されている第2の反射部材(112; 503)と
を含むレーザシステム。
【請求項２】
多数の空間モードの各々が、対応するモード番号に関連付けられており、第1および第2の選択手段が、第1のモード番号が第2のモード番号に等しい、対応する第1および第2のモード番号に関連づけられた、対応する第1および第2の空間モードを選択するよう適合されていることを特徴とする、請求項１に記載のレーザシステム。
【請求項３】
第1および第2のフィードバック部分が、実質的に同一部分であることを特徴とする、請求項１または請求項２に記載のレーザシステム。
【請求項４】
システムが、少なくとも1つの光学要素の回折平面(103)内の放出光ビームの光学フーリエ変換を生成する、少なくとも1つの光学要素(108)をさらに含み、第1および第2の選択手段の少なくとも1つのが、少なくとも1つの光学要素の回折平面内に実質的に配置されていることを特徴とする、請求項１から請求項３のいずれか一項に記載のレーザシステム。
【請求項５】
レーザシステムが、レーザダイオード部材の第1の側面上に、0.05％〜20％の反射率、好ましくは0.1％〜2％の反射率を提供する反射防止膜をさらに含んでいることを特徴とする、請求項１から請求項４のいずれか一項に記載のレーザシステム。
【請求項６】
光軸の周りの強度分布が、レーザダイオードのハイコヒーレンス軸およびローコヒーレンス軸を定め、ローコヒーレンス軸および光軸がローコヒーレンス平面を定め、多数の空間モードがローコヒーレンス平面内でそれぞれの放出角度で放出され、そして、レーザシステムが、ローコヒーレンス平面を横切る方向の放出光ビームの一部を選択する第3の選択手段（105）をさらに含むことを特徴とする、請求項１から請求項５のいずれか一項に記載のレーザシステム。
【請求項７】
第1および第2の選択手段が、レーザダイオード部材に埋め込まれた第1(1203)および第2(1204) のグレーティングを含み、第1および第2のグレーティングは、それらの間の角度を、選択された空間モードの放出角度に対応して定めることを特徴とする、請求項１から請求項６のいずれか一項に記載のレーザシステム。
【請求項８】
レーザダイオード部材の第1の表面が、第1および第2の領域の間の角度を、選択された空間モードの放出角度に対応して定める、第1(1307)および第2(1308) の領域を含み、第1および第2の反射部材が、対応する第1および第2の領域上に対応する反射膜(1311、1312)を有することを特徴とする、請求項７に記載のレーザシステム。
【請求項９】
レーザダイオード部材が、シングルエミッタダイオードのバー(1501)を含むことを特徴とする、請求項１から請求項８のいずれか一項に記載のレーザシステム。
【請求項１０】
レーザダイオード部材が、シングルエミッタダイオードのスタック(1400) を含むことを特徴とする、請求項１から請求項９のいずれか一項に記載のレーザシステム。
【請求項１１】
システムが、第1および第2の出力ビームの少なくとも1つを変調する、変調器要素(2001,2002,2102,2202)をさらに含むことを特徴とする、請求項１から請求項１０のいずれか一項に記載のレーザシステム。
【請求項１２】
ローコヒーレンス平面およびハイコヒーレンス平面を定める光軸(107)の周りに、強度分布を有し、かつ各モードが光軸およびローコヒーレンス平面に対する、それぞれの放出角度に対応した、多数の空間モードを含む光ビームを放出する第1の平面を含むレーザダイオード部材(101)光ビームと、
ローコヒーレンス平面内の、光軸の第1の側において第1の放出角度で放出される、前記多数の空間モードのうちの最初の1つに対応する放出光ビームの第1の部分を選択する、第1の選択手段(109,111)と、
放出光ビームの選択された第1の部分の第2の部分を、ローコヒーレンス平面を横切る方向(FA)において選択する第2の選択手段(105)と、
レーザダイオード部材および反射部材がキャビティを定めるものであって、放出光ビームの、選択された第2の部分のフィードバック部分を反射してレーザダイオード部材に戻すよう適合されている、反射部材(2601)と、
を含むレーザシステム。
【請求項１３】
第2の選択手段および第2の反射部材が非活動状態の間に、放出光ビームの所定の特性を測定するステップと、
測定された所定の特性の所定値を有する放出光ビームを得るために、第1の反射部材および第1の選択手段の少なくとも1つの位置および方向の少なくとも１つを調整するステップと、
レーザシステムに第1および第2の出力ビームを生成させるよう、第2の選択手段および第2の反射部材を作動させるステップと、
第1および第2の出力ビームの品質の、所定の大きさを測定するステップと、
第1および第2の出力ビームの品質の測定された所定の大きさを改良するために、第2の反射部材および第2の選択手段の少なくとも1つの、位置および方向の少なくとも1つを調整するステップと
を含む、請求項１から請求項１１のいずれか一項に記載のレーザシステムのアライン方法。
【請求項１４】
グラフィック産業における、請求項１から請求項１２のいずれか一項に記載のレーザシステムの使用。
【請求項１５】
内部ドラム画像設定システムにおける、請求項１から請求項１２のいずれか一項に記載のレーザシステムの使用。
【請求項１６】
感光材料(2302)を受ける内部表面を有するドラム部材(2301)と、
前記ドラム部材に対して可動な形で取り付けられたサポート部材(2306)と、
少なくとも2本の出力ビームを生成するものであって、前記サポート部材に取り付けられる、請求項1から請求項11のいずれかに従うレーザシステムと、
少なくとも2本の出力ビームに対するそれぞれのビーム経路を定め、感光材料上に少なくとも2本の出力ビームを合焦させる、少なくとも1つの光学要素(2303)と、
少なくとも1本の出力ビームを、ドラム部材の内部表面上の所定位置へ向かって方向付ける手段(2303)と
を含む、内部ドラム画像設定システム。
【請求項１７】
少なくとも1本の出力ビームを、ドラム部材の内部表面上の所定位置に向かって方向付ける手段が、少なくとも1本の出力ビームをドラム部材の内部表面上の所定位置に向かって方向付けるため、可動な形で取り付けられたサポート部材と連携するよう適合された、少なくとも1本の出力ビームのビーム経路内に、旋回可能な形で取り付けられたミラー(2303)を含んでいることを特徴とする、請求項１６に記載の内部ドラム画像設定システム。
【請求項１８】
少なくとも1つの光学要素が、出力ビームの1つのビーム経路に挿入される4分の1波長板(2005)をさらに含むことを特徴とする、請求項１６または請求項１７に記載の内部ドラム画像設定システム。